Podtech/llm-jp-corpus-v4-ja_patent huggingface dataset:
(57)【要約】      （修正有）【課題】剥し部を設けることにより指アカが共振回路（接着層）に付着することなく商品等に貼り付けることができるため、共振回路を傷つけることなく使用できる。また、切り目を設けることにより、切り離して使用できるため、より確実に商品等に貼り付けられ、剥れることがない商品管理用共振タグを提供する。【解決手段】バーコード等を印刷してなるシート２の裏面に、特定の電波に共振する共振進回路３を設けると共に、接着層４を設けてなる商品管理用共振タグ１において、シートの一側部に剥し部５を設け、該剥し部には共振回路３を設けていないことを特徴とする商品管理用共振タグ。【選択図】図２
0003147121.tif 000002
【実用新案登録請求の範囲】
【請求項１】
バーコード等を印刷してなるシートの裏面に、特定の電波に共振する共振進回路を設けると共に、接着層を設けてなる商品管理用共振タグにおいて、シートの一側部に剥し部を設け、該剥し部には共振回路を設けていないことを特徴とする商品管理用共振タグ。
【請求項２】
共振回路と剥し部の境目のシートに、切り目を設けてなることを特徴とする請求項１記載の商品管理用共振タグ。
【請求項３】
シートが、脆性紙であることを特徴とする請求項１又は２記載の商品管理用共振タグ。
【考案の詳細な説明】
【技術分野】
【０００１】  本考案は、商品に商品管理用共振タグを貼り付けるとき、共振回路に指アカ等を付着させることなく貼り付けることのできると共に、開封防止機能も有する商品管理用共振タグに関するものである。
【背景技術】
【０００２】  従来の技術の一例として、共振タグを、誘電体からなる絶縁基板と、当該絶縁基板の表面側に形成された第１のアンテナコイルと、前記絶縁基板の裏面側に形成された第２のアンテナコイルと、前記絶縁基板の表裏面に接着剤を介して接着されたカバーシートとから構成するものがある。（特許文献１参照）
【特許文献１】  特開２００２−１５７５６０号公報
【考案の開示】
【考案が解決しようとする課題】
【０００３】  上記従来技術の場合は、商品等に貼り付けるとき、アンテナコイルの位置の接着剤に指を当て、商品に貼り付けているため、指アカが付着した部分から剥がれてしまうことがあり、共振タグとして使用できなくなることがある。
また、指アカにより、アンテナコイルがさびたりすることもあり、実用上問題がある。
さらに、商品の開封部に折り曲げて使用すれば周波数が変化し、不安定となることがある。【０００４】  本考案は、このような従来の構成が有していた問題を解決しようとするもので、剥し部を設けることにより指アカが共振回路（接着層）に付着することなく商品等に貼り付けることができるため、共振回路を傷つけることなく使用できる。
また、切り目を設けることにより、切り離して使用できるため、より確実に商品等に貼り付けられ、剥れることがない。
さらに、開封防止としても使用でき、セキュリティ効果も高い。
【課題を解決するための手段】
【０００５】  本考案は、上記の目的を達成するため、バーコード等を印刷してなるシートの裏面に、特定の電波に共振する共振進回路を設けると共に、接着層を設けてなる商品管理用共振タグにおいて、シートの一側部に剥し部を設け、該剥し部には共振回路を設けていない。
また、共振回路と剥し部の境目のシートに、切り目を設けてなる。
さらに、シートが脆性紙であることを特徴とする。
【考案の効果】
【０００６】１）剥し部を設けることにより、共振回路に指アカ等を付着させることなく、確実に商品    等に貼り付けできる。
２）、共振回路に接触することなく、貼り付けられることにより、共振回路を傷つけるこ    となく使用できる。
３）、切り目から剥し部を切り離すことにより、より確実に共振回路を貼り付けることが    できる。
４）、商品（箱）の開封部に剥し部より折り曲げて使用することにセキュリティ効果を有    すると共に、共振回路の周波数を変化させることなく使用できる。
５）、シートを脆性紙とすることにより、開封したかどうかが、より明確に分かる。
【考案を実施するための最良の形態】
【０００７】  商品管理用共振タグ１は、バーコード２ａを印刷してなるシート２の表面に、例えば金属箔からなる螺旋状パターンの回路からなる特定の電波に共振する共振回路３を設けると共に、裏全面に接着層４を設けてある。
また、シート２の一側部に、裏面金属箔をメッシュ状に形成してなる剥し部５を設け、表面にメッセージＭを表示してある。【０００８】  なお、商品管理用共振タグ１は、剥離紙６に連設して設けてなることが望ましい。【０００９】  商品管理用共振タグ１の使用例について説明する。
まず、指Ｙにて剥し部５の角を剥し、シート２を剥した後、商品（図示せず）の所要位置に貼り付けるものである。【００１０】  つぎに、他の実施例を説明する。
商品管理用共振タグ２１は、上記と同様な共振回路２３と剥し部２５の境目のシート２２の境目に、切り目７を設けてなるもので、貼り付け後に切り目７にて剥し部２５を切り離して使用できる。【００１１】  商品管理用共振タグ３１は、シート３２を脆性紙とすることにより、特に商品Ｓ（箱）の開封部Ｋに剥し部３５を折り曲げて貼り付けることにより、開封の有無をチェックでき、セキュリティ効果が高い。【００１２】  上記各実施例において、シートの表面にはバーコード以外にも必要な表示を行えばよい。
また、共振回路の形態も必要に応じて設定すればよい。
さらに、大きさや素材も自由に選定すればよい。
さらにまた、貼り付ける対象の商品は箱でも袋でもよく、位置は開封部（蓋等）が望ましいが、特に限定しない。
【図面の簡単な説明】
【００１３】
【図１】  本考案の第１実施例を示す商品管理用共振タグの正面図。
【図２】  本考案の第１実施例を示す商品管理用共振タグの背面図。
【図３】  本考案の第１実施例を示す商品管理用共振タグを剥離紙に連設してなる正面図。
【図４】  本考案の第１実施例を示す商品管理用共振タグの使用状態図。
【図５】  本考案の第２実施例を示す商品管理用共振タグの正面図。
【図６】  本考案の第３実施例を示す商品管理用共振タグの使用状態の斜視図。
【符号の説明】
【００１４】１――――商品管理用共振タグ
２――――シート
２ａ―――バーコード
３――――共振回路
４――――接着層
５――――剥し部
６――――剥離紙
７――――切り目
Ｍ――――メッセージ
Ｙ――――指
【図１】
0003147121.tif 000003
【図２】
0003147121.tif 000004
【図３】
0003147121.tif 000005
【図４】
0003147121.tif 000006
【図５】
0003147121.tif 000007
【図６】
0003147121.tif 000008
(57)【要約】      （修正有）【課題】皿の形状を工夫することで串ダンゴを先より順次最後まで安全にスマートに食べ易くする銘々皿を提供する。【解決手段】皿１の縁の一部に小径穴を持った土手状壁２と皿１の表面の一部に切り込み溝を持った板状凸部３を相対面し一体化して設ける。串の先端を小径穴に通し次のダンゴを土手状壁２と板状凸部３の間に置き手元串を下方に下げ更に手前に引くことで次のダンゴが前方に移動することにより特に３個目、４個目まで安全にスマートに口に運べて食べ易くした。【選択図】図１
0003147132.tif 000002
【実用新案登録請求の範囲】
【請求項１】
皿の縁の一部に小径穴を持った土手状壁を立ち上げる一方、皿の表面の一部に切り込み溝を持った板状の凸部を壁と相対面するよう設けたことを特徴とした銘々皿。
【考案の詳細な説明】
【技術分野】
【０００１】  本考案は皿の縁の一部に土手状壁及び皿の表面の一部に板状凸部を設けた串ダンゴ用銘々皿に関するものである。
【背景技術】
【０００２】  通常銘々皿は食べ物を乗せる部分はほぼ平面状態をしている。
【考案の開示】
【考案が解決しようとする課題】
【０００３】  串ダンゴを食べる時大人でも４個付きの場合先端より１個目及び２個目までは標準的ダンゴであれば串先より口に入れることが可能であるが３個目以後は注意しないと喉に串の先端が触れてしまう。４個目はなおさらで大変危険である。よって一般的には横より前歯でくわえて前方へ寄せる。しかし口の周りにはタレ等が付着してしまうことになる。これらの欠点を安全にスマートに食べることができるよう解決するものである。
【課題を解決するための手段】
【０００４】  皿の縁に設けた土手状壁に開けた小径穴に串の先端を差し込み、更に皿表面の板状凸部に設けた切り込み溝に串を合わせ、次のダンゴを板状凸部と土手状壁の間に位置し下方へ押し込む。そこで串を手前に引くと次のダンゴが串の先端へ移動する。次のダンゴを容易に口に運べる状態にすることで問題を解决するものである。
【考案の効果】
【０００５】  本考案の銘々皿は串ダンゴを食べるときに口周りを汚さずに最後まで食べることが容易となる。
【考案の実施するための最良の形態】
【０００６】  皿の縁に設けた土手状壁と皿の表面に設けた板状凸部の間隔はダンゴ１個分に十分な距離を持ち、又小径穴及び板状凸分の切り込み溝の高さをタンゴ径より十分な高さに設けること。又皿の表面の板状凸部の厚みはダンゴの引き抜き強度に耐えられる範囲でできるだけ薄く設けることが好ましい。更に使用材質は食器として使用可能であれば樹脂、陶器、木、等の限定は無い。
【実施例】
【０００７】添付図に従って実施例を説明する
１は串ダンゴ銘々皿本体。２は皿の縁の一部に小径穴を持った土手状壁。
３は皿の表面に切り込み溝を持った板状凸部で一体化されている。
４は串ダンゴで使用時のダンゴ３個目と４個目の間に板状凸を押し込んだ形で更に串を手前に引けば３個目が食べ易い位置に移動する。
【図面の簡単な説明】
【０００８】
【図１】  本考案の本体斜視図である。
【図２】  本考案の使用例を示す断面図である。
【符号の説明】
【０００９】  １  串ダンゴ銘々皿の本体
２  本体縁の一部の土手状壁
３  本体表面の板状凸部
４  串ダンゴ
【図１】
0003147132.tif 000003
【図２】
0003147132.tif 000004
(57)【要約】      （修正有）【課題】誰がボールをだしても同じ所に弾む折り畳みボール出し機を提供する。【解決手段】固定する筋交いで補強された対向するコの字型枠体１ａを両端部がヒンジ結合した４脚の枠体にボールの直径より狭い２本の部材で構成された先端部が上に湾曲し、背面部の先端側に短く後端側に長めの棒を設けた装置８，９，１０を取り出し自在に固定して折り畳み式ボール出し機を構成する。【選択図】図１
0003147133.tif 000002
【実用新案登録請求の範囲】
【請求項１】
固定する筋交いで補強される二組のコの字型枠体を対向させて、その間を上方及び下方にそれぞれ４本の該枠体に両端部がヒンジ結合する棒状体と更に両端部がヒンジ結合する筋交いを配して成る４脚の枠体の、上方の２本の前記棒状体間のほぼ中間部に棒状の台座を渡して固定し、該台座と前記コの字型枠体の片方の上方枠に孔を穿って、ボールの直径よりも幅の狭い二本の棒から成り、先端部が上方に湾曲し、背面の先端側に短く後端側に長めの棒を設けるボールが転がり落ちるレール斜体の該棒を前記孔に差し込んで取り出し自在に固定して成る折り畳み式ボール出し機。
【考案の詳細な説明】
【技術分野】
【０００１】球技の打撃の練習具に関するものである。
【背景技術】
【０００２】  従来、球技の打撃練習具にはピチングマシーンやテニスマシーン等があるが、高価で一般に普及していない。ボールをゴムで繋げて錘をつけた器具は連続して打つ事が出来ない。手投げの場合は投げる人に熟練度が必要で投げる人によって打ちづらい。
【考案の開示】
【考案が解決しようとする課題】
【０００３】  球技の打撃の練習具には高価だったり、１回打つごとにボールを拾って連続して打てなっかたり、手投げは出す人が熟練をしないと打ちづらい。
この考案は、誰が出しても連続してボールを出せて同じ所に落ちて打つことが出きるのでこの欠点を解決するものである。
【課題を解決するための手段】
【０００４】  本校案は、固定する筋交いで補強される二組のコの字型枠体を対向させて、その間を上方及び下方にそれぞれ４本の該枠体に両端部がヒンジ結合する棒状体と更に両端部がヒンジ結合する筋交いを配して成る４脚の枠体で構成され。該枠体は片方のコの字型枠体をもう片方のコの字型枠体の上方に上げて畳む。その該枠体上方と該枠体をヒンジ結合する棒状体のほぼ中間部に固定する棒状の台座に孔を穿って、ボールの直径より幅の狭い２本の部材で構成された先端部分が上に湾曲し、背面の先端側に短く後端側に長めの棒を設けた装置を取り出し自在に固定する。
【考案の効果】
【０００５】  上述の様に、安価で購入しやすい。ネットに向かって打つと場所を問わずに練習が出来る。初心者は勿論上級者でも練習の効率が上がる。
【実施例】
【０００６】  以下、添付図面の一実施例に従って本考案の実施形態ついて説明する。
図１  固定する筋交いで補強されるコの字型枠体１ａと１ｂを両端部がヒンジ結合する棒状体２ｂ，２ｄとヒンジ結合する筋交い３で固定する。該コの字型枠体１ａと１ｂのほぼ中間部に棒状の台座を固定し孔を穿つ，該台座に４ｂと前記コの字型枠体１ａの上方枠に４ａ。ボールを飛ばす装置８，９，１０は６ｂを４ｂ，７ｂを４ａの孔に差込み下の４脚の枠体と取り出し自在に固定する。【０００７】  図２  ボールを飛ばす装置の背面の先端側短い棒８にボールを乗せると後端側長めの棒９を転がり落ちて、先端部上方の湾曲部分１０で上に上がり落ちて弾む。ボールを飛ばす装置８，９，１０は６ａを前記台座の孔４ｂに，７ａを前記コの字枠体１ａの孔４ａに差し込み下の４脚の枠と取り出し自在に固定する。【０００８】  図３  前記コの字型枠体１ａと１ｂを両端部がヒンジ結合する棒状体２ａ，２ｂ，２ｃ２ｄで繋げた４脚の枠体。該枠体は折り畳むため固定されていないのでヒンジ結合する筋交い３で固定する。上部部材４ａ，４ｂに開けた孔に装置８の６ａと７ａの部材を差し込み装置８を取り出し自在に固定する。【０００９】  図４  前記コの字型枠体１ｂを１ａの上方に引き上げて畳む。その際，コの字型枠体１ａと１ｂを繋げる部材２ａ，２ｂ，２ｃ，２ｄはヒンジ結合されているため回転する。１ａと１ｂを固定するヒンジ結合する筋交い３は１ａに収納する。【００１０】  図５  前記コの字型枠体１ａと１ｂを両端部がヒンジ結合する棒状体２ａ，２ｂ，２ｃ２ｄの部材を蝶番９で固定し１ａと１ｂの間に畳んで収納する。留め金５やバンドで１ａと１ｂが開かないように留める。ヒンジ結合した筋交い３は１ａに収納する。【００１１】  使用方法は、本考案の装置の前方にネットを置いてそのネットに向かってバウンドさせて打つ。
本考案の前にネットを置いてそのネットに向かってバウンドさせないで直接打つ。（トスヒット）
本考案をテニスコートや野球場等広い場所に向けて打つ。【００１２】  使用方法は、本考案の装置の前方にネットを置いてそのネットに向かってバウンドさせて打つ。
本考案の前にネットを置いてそのネットに向かってバウンドさせないで直接打つ。（トスヒット）
本考案をテニスコートや野球場等広い場所に向けて打つ。【００１３】本校案の図面は部材を角材で表現してあるが円柱でも良い。
【図面の簡単な説明】
【００１４】
【図１】  本考案の折り畳み式ボール出し機の一実施例を示す右側面図である。
【図２】  本ボール出し機の斜視図である。
【図３】  本ボール出し機のボールを飛ばす装置の斜視図である。
【図４】  本ボール出し機の折り畳んだ途中の側面図である。
【図５】  本ボール出し機の折り畳んだ側面図である。
【符号の説明】
【００１５】１ａ          固定する筋交いで補強され、対向するコの字型枠体
２ａ          上記のコの字型枠体に両端部がヒンジ結合する棒状体
３            上記のコの字型枠体に両端部がヒンジ結合する筋交い
４ａ          １ａの上方枠と上記棒状体のほぼ中間に渡した台座
５            折り畳んだときに開かないように１ｂの台を留める留め具
６ａ          ボールを飛ばす装置の直線部分８，９を４ｂの穴に固定する部材
７ａ          ボールを飛ばす装置の曲線部分１０を４ａの穴に固定する部材
８            ボールを飛ばす装置先端側短い棒ボールを乗せる部分
９            ボールを飛ばす装置後端側長い棒ボールに勢いを出す部分
１０          ボールを飛ばす装置先端の湾曲部分ボールを飛ばす部分
１１          対向するコの字型枠体１ａと１ｂを２ａでヒンジ結合させる蝶番
【図１】
0003147133.tif 000003
【図２】
0003147133.tif 000004
【図３】
0003147133.tif 000005
【図４】
0003147133.tif 000006
【図５】
0003147133.tif 000007
(57)【要約】      （修正有）【課題】入れ歯を洗浄する器で簡単に洗浄出来て見た目も美しく清潔な器を提供する。【解決手段】コップ状の器１、２を２つ重ねその内側の底板３の部分に入れ歯５を入れて洗浄剤で洗浄し洗浄後の水は外側の器１を下に下げて水を捨て、器は廃棄する。中の器は底部に穴が開いているのでそのまま洗面台の中に置き、水道の流水で入れ歯に残っている洗浄剤を流し内側の器２も廃棄することが可能なのでとても清潔である。器からの水のこぼれや上から器を覗いたときに入れ歯が見えるのを防ぐ為に蓋４を設ける。【選択図】図１
0003147258.tif 000002
【実用新案登録請求の範囲】
【請求項１】
入れ歯を洗浄する為の器で蓋と外側のコップ状の器と内側のコップ状の器で構成され、材質は紙又は合成樹脂製とし清潔さを保つ為全部又は一部を使い捨てとする器で、外側のコップ状の器の中に底面に穴のあいたコップ状の器を重ね入れ底上げをし、その穴のあいた底面の上に入れ歯と洗浄剤・水を入れて洗浄剤による洗浄をし、洗浄中の入れ歯が見えた時の不快感をなくすため蓋をして洗浄が終わると蓋を開け外側の器を下にずらし水を捨てると中に入れ歯の入った内側の器があり、そのまま洗面所等の蛇口から水を出し器に入れ歯を置いたまま水洗いすることが出来る使い捨て入れ歯洗浄器。
【考案の詳細な説明】
【技術分野】
【０００１】入れ歯の洗浄の為の器で清潔さを保つ為一部又は全部を使い捨てとし洗浄剤による洗浄とその後の入れ歯の水洗いも同じ器で入れ歯を入れたまま出来るので合理的である。
【背景技術】
【０００２】入れ歯を洗浄する時一般的にコップや茶碗等に入れて使用していたがコップや茶碗は通常飲み物や食べ物を入れる為の器であり、入れ歯を入れること自体に嫌悪感があり、又毎回器を洗って使用するが汚れは蓄積されるので非衛生的である。
【考案の開示】
【考案が解決しようとする課題】
【０００３】従来は入れ歯をコップや茶碗に入れ洗浄していたが本来コップや茶碗は飲み物や食べ物を入れる為の器であり、同じ形状の器を使って飲食することの嫌悪感や上から器を見た時に入れ歯が見え不快感を生じた。又毎日使用するものであり、洗浄後に使った器を洗っても汚れは蓄積されるので非衛生的である。今後高齢化社会が進む中で、高齢者の為のより清潔な生活用品が必要となる。
【課題を解決するための手段】
【０００４】従来は歯の洗浄とその使用した容器の洗浄を必要としていたが本考案はその器の一部又は全部を使い捨てとする為、使った器の洗浄が不要となり合理的である。入れ歯の洗浄から入れ歯についた洗浄剤の洗い流しまでが別の器に移すことなく同じ器ですることが出来、外側の器を下げ取り外して内側の底面に穴の開いた底板の上にある入れ歯を洗い流すのでたまった状態で洗い流すのではなく流し水で洗い流すので効率がよくより清潔に洗い流せるという利点がある。
【考案の効果】
【０００５】高齢者人口が増える中で入れ歯の洗浄そのものや従来の様にコップ等に入れて使用する嫌悪感、コップの洗浄水をこぼしたり、蓋がない為上から覗くとコップの中の入れ歯が見えたりと不快感が生じた。この考案によりいつも洗浄する器が洗面所等からなくなり、たとえ短期間置いてあっても器には蓋がされている為入れ歯が見える不快感がなく、その上使い捨てなので清潔で画期的な考案である。
【実施例】
【０００６】外側のコップ状の器▲１▼の中に内側の器▲２▼を重ね入れる。▲２▼の器には底にざる状又は複数箇所穴があけられており、水を入れた時容器▲１▼より▲２▼の底板▲３▼は底上げされている構成であり▲２▼の底板▲３▼と▲１▼の底板の間には空間が生じる。入れ歯▲５▼と洗浄剤は▲２▼の底板▲３▼の上に置き水を入れると器の中で洗浄される。外側と内側の器の間の密着を防ぐ為、外側の器の内側の表面処理をザラつかせ又は内側の器の周囲に有孔部を設ける。上から覗いた時に入れ歯を見えなくする為や器が倒れた時の水のこぼれを防止する為、上から蓋▲４▼をする。
洗浄後、蓋をとり外側の器を下に下げると内側の底の上に入れ歯が乗った状態で現われ、外側の器の水を捨て、器を廃棄し内側の器を洗面台等の中に置き蛇口から水を出し、その勢いで歯についた洗浄剤を流せるように構成されており、外側の器・内側の器・蓋には清潔感を出すため色や花柄・風景等の絵を入れ、入れ歯が入っているという不快感をなくす。又、必要に応じ外側の器に取っ手や中に水が入っているか確認する為の半透明の窓部分を設ける。
【図面の簡単な説明】
【０００７】
【図１】姿図
【符号の説明】
【０００８】▲１▼  外側の器
▲２▼  内側の器
▲３▼  内側の器の穴の開いた底の部分
▲４▼  蓋
▲５▼  入れ歯
【図１】
0003147258.tif 000003
【手続補正書】
【提出日】平成20年9月9日(2008.9.9)
【手続補正１】
【補正対象書類名】実用新案登録請求の範囲
【補正対象項目名】全文
【補正方法】変更
【補正の内容】
【実用新案登録請求の範囲】
【請求項１】
入れ歯を洗浄する為の器で材質は紙又は合成樹脂製とし、二つの径と高さの違うコップの状の器とフタで構成され、大きい方を外側の器とし小さい方を内側の器として重ねて使用し、内側の器の上部の円形の部分は重ねた時下に落ちないようにつばを付け外側の器と同じ寸法とし底面は外側の器より少しかさ上げし底面に複数の穴をあけザル状とし内側のコップに入れ歯と洗浄剤と水を入れ洗浄が終わると外側の器を外し内側のコップに入れ歯を入れたまま水洗い出来る事を特徴とする使い捨て入れ歯洗浄器。
(57)【要約】      （修正有）【課題】ゴルフのパッティング時に、正面からカップ方向を見て打つ事が可能な構造とし、かつ方向感覚と距離感覚の把握が容易なゴルフ用パターを提供する。【解決手段】ゴルフ用パター１は、ヘッド２とシャフト本体３から構成されている。このヘッド２は、例えばスチール製のシャフト本体３下端部に埋め込まれた支持具７に固定されている。またシャフト本体３の上端部にはグリップ４が、中間部にはグリップ５が接着剤などにより固着する。ヘッド上面両脇に２本の突起状の線を設ける。【選択図】図１
0003147254.tif 000002
【実用新案登録請求の範囲】
【請求項１】
ゴルフのパッティングにおいて、従来の横打ちパターと異なり、カップ方向に対して正面から見て打つため、方向感覚や距離感覚の向上が出来る。また、図面にあるように、パター上の２本の線により、更に方向性の向上を確立出来る。
【考案の詳細な説明】
【技術分野】
【０００１】
本考案は、ゴルフのパッティング時における方向感覚と距離感覚の向上に関するものである。
【考案の開示】
【考案が解決しようとする課題】
【０００２】
解決しようとする問題点は、ゴルフのパッティング時において、方向感覚と距離感覚の把握が困難な点である。
【課題を解決するための手段】
【０００３】
本考案は、ゴルフのパッティングにおいて、実施例の画像にあるように、正面からカップ方向を見て打つ事が可能なため、方向感覚や距離感覚を把握し易い事、および図４にあるようパター上の２本の線により、更に方向感覚の向上を確立出来る事を最も主要な特徴とする。
【考案の効果】
【０００４】
本考案は、ゴルフのパッティングにおいて、従来の横打ちパターと異なり、カップ方向に対して正面から見て打つため、方向感覚や距離感覚の向上が出来る。また、図４にあるように、パター上の２本の線により、更に方向性の向上を確立出来るという利点がある。
【実施例】
【０００５】
右利きの場合
0003147254.tif 000003
左利きの場合
0003147254.tif 000004
【図面の簡単な説明】
【０００６】
【図１】パターの全体図
【図２】パターのヘッド側面図
【図３】パターのヘッド正面図
【図４】パターのヘッド上面図
【図１】
0003147254.tif 000005
【図２】
0003147254.tif 000006
【図３】
0003147254.tif 000007
【図４】
0003147254.tif 000008
【手続補正書】
【提出日】平成20年9月7日(2008.9.7)
【手続補正１】
【補正対象書類名】実用新案登録請求の範囲
【補正対象項目名】請求項１
【補正方法】変更
【補正の内容】
【請求項１】
ヘッドとシャフトからなり、ヘッド上面両脇に突起状の２本の線があるゴルフ用パター。
【手続補正２】
【補正対象書類名】明細書
【補正対象項目名】全文
【補正方法】変更
【補正の内容】
【考案の詳細な説明】
【技術分野】
【０００１】
本考案は、ゴルフのパッティング時における方向感覚と距離感覚の向上に関するものである。
【考案の開示】
【考案が解決しようとする課題】
【０００２】
解決しようとする問題点は、ゴルフのパッティング時において、方向感覚と距離感覚の把握が困難な点である。
【課題を解決するための手段】
【０００３】
本考案のゴルフパターは、ヘッドとシャフトからなり、該ヘッド上部に２本の突起状の線があることを特徴とする。【０００４】
以下、添付図面に基づいて本考案のゴルフ用パターを説明する。
図１は本考案の実施形態にかかわるゴルフ用パターを示す全体図、図２はヘッドの側面図、図３はヘッドの正面図、図４はヘッドの上面図である。【０００５】
図１に示されるように、本実施の形態にかかわるゴルフ用パター１は、ヘッド２とシャフト本体３から構成されている。このヘッド２は、例えばスチール製のシャフト本体３下端部に埋め込まれた支持具７に固定されている。またシャフト本体３の上端部にはグリップ４が、中間部にはグリップ５が接着剤などにより固着されている。【０００６】
本考案はゴルフのパッティング時において、ホールに対して正面から見て打つことを前提に考案されたパターである。
【考案の効果】
【０００７】
本考案は、ホールに対して正面を向いて打つことにより、パターヘッド上にある図２、図３、図４の２本の突起状の線６を見ながら、ホール方向を見定めることが可能になり、確実な方向感覚や距離感覚が向上出来ることを特徴とする。
【実施例】
【０００８】
図５に示されるように、右利きの場合は体の右側にパターを構え、ホールに対して正面を向き、パターヘッド上部の２本の突起状の線の間にホールが入るように向け、上部からパターヘッドを見ながら、ホール方向に架空の線をつなぎボールを打つ。
【０００９】
図６に示されるように、左利きの場合は体の左側にパターを構え、ホールに対して正面を向き、パターヘッド上部の２本の突起状の線の間にホールが入るように向け、上部からパターヘッドを見ながら、ホール方向に架空の線をつなぎボールを打つ。
【図面の簡単な説明】
【００１０】
【図１】パターの全体図
【図２】パターのヘッド側面図
【図３】パターのヘッド正面図
【図４】パターのヘッド上面図
【図５】右利きの打ち方
【図６】左利きの打ち方
【手続補正３】
【補正対象書類名】図面
【補正対象項目名】全図
【補正方法】変更
【補正の内容】
【図１】
0003147254.tif 000009
【図２】
0003147254.tif 000010
【図３】
0003147254.tif 000011
【図４】
0003147254.tif 000012
【図５】
0003147254.tif 000013
【図６】
0003147254.tif 000014
(57)【要約】      （修正有）【課題】犬の糞を道路面などに落とす前に収集処理を手早く行い、道路面などに汚れを残す事のない事を目的にした糞収集処理器を提供する。【解決手段】取手部４を持って移動し、糞収集処理時は、蓋２を開き、本体１の中へ糞を落とし、事後は蓋２を閉めて、取手部４を持って、袋等へ入れて、持ち帰り、各自の家で処分する手段である。【選択図】図２
0003147251.tif 000002
【実用新案登録請求の範囲】
【請求項１】
犬の運動などにおいて、犬と移動の際に、収集処理器を携帯して、犬が糞を催す時に、簡単に収集処理が出来る事を手段とする糞収集処理器である。
【考案の詳細な説明】
【技術分野】
【０００１】  従来は、糞の後始末をするときにビニール手袋をはめた手で取るか、小型シャベル等で、糞をビニール袋等へ入れる。又は、道路脇に穴を掘って埋めるかの処理であった。
【背景技術】
【０００２】
【考案の開示】
【考案が解決しようとする課題】  舗装道路上に落とした糞の処理は、清潔に除去出来ないため、衛生面上及び、他人に迷惑を及ぼす問題を持っていた。【０００３】  この考案は、このような問題を解決するもので、道路上などに糞を落す前に収集を行う事が簡単に出来るものである。
【課題を解決することの手段】
【０００４】  本考案に於ける収集処理器は蓋を開いて本体の中に収集後、蓋を被せてそのまま持ち帰る事が出来る事を手段とする。
また、その処理は自宅に於いて洗う等の処理が出来る事を手段とする。
【考案の効果】
【０００５】  本考案によると、糞の取り残し等に依る「不衛生」を防止し、道路面の清潔・美化を保ち、万人が安心して道路を歩く事が出来る効果がある。
【考案を実施するための最良の形態】
【０００６】
【実施例】
【０００７】以下に、本考案に係る収集処理器について説明する。
図１は、収集処理装置の外形図である。
図１に於いて、１は本体（収集体）、２は蓋、３は回転軸、４は取手部（杷手部）、で構成される。
尚、外形図は１例であって、丸形、楕円型、引き出し型、両開き型、など構造は他に各種の形状が考えられる。【０００８】  図２は、糞収集の時の状態を現わした見取図である。
２の蓋を広く開ける事が出来て、１の本体に糞を落し易い構造に成っている。
尚、図２に於いては蓋が回転して開く斜視図であるが、引き出し構造、両開き構造、など各種の形状が考えられる。
【産業上の利用可能性】
【０００９】  この考案は、犬の糞を道路面などに落とす前に収集処理を手早く行い、道路面などに汚れを残す事のない事を目的にした糞収集処理器に関するものである。
【図面の簡単な説明】
【００１０】
【図１】  本考案の外形図である。
【図２】  図１を収集処理の状態に表現した外観見取図である。
【符号の説明】
【００１１】１  本体
２  蓋
３  回転軸
４  取手部（杷手部）
【図１】
0003147251.tif 000003
【図２】
0003147251.tif 000004
【手続補正書】
【提出日】平成20年9月22日(2008.9.22)
【手続補正１】
【補正対象書類名】実用新案登録請求の範囲
【補正対象項目名】全文
【補正方法】変更
【補正の内容】
【実用新案登録請求の範囲】
【請求項１】
糞を収集する本体と、
前記の本体に被せる蓋と、
前記の蓋を前記の本体に対して、開閉する為の回転軸と、
前記の本体に固着された取手部と、を備える糞収集処理器である。
(57)【要約】      （修正有）【課題】団扇に軽量小型鏡を貼り付け、団扇を使いながら身だしなみの確認や化粧直し等ができる団扇携帯鏡を提供する。【解決手段】浴衣やＴシャツ等を着た男女が気軽に団扇５を常備し、携帯鏡を使用できるように団扇に小型軽量鏡を貼り付けるか、又は、適当な厚みの保護袋６に鏡４を挿入し、保護袋を団扇に貼り付けて構成する。【選択図】図１
0003147269.tif 000002
【実用新案登録請求の範囲】
【請求項１】
われにくい安全な材質の軽量小型鏡を団扇に貼り付ける構成。
【考案の詳細な説明】
【考案の詳細な説明】
【技術分野】
【０００１】本考案は、男性や女性の区別なく、団扇を扇ぎながら身だしなみの確認や化粧直し等が出来る団扇携帯鏡に関するものである。
【背景技術】
【０００２】夏祭りや盆踊りなどで浴衣を着て、団扇を持っている姿は、見かけるが軽装備のため手鏡を常備することが出来ず、身だしなみ確認が困難な現状である。
【考案が解決しようとする課題】
【０００３】団扇に軽量小型鏡を貼り付け、浴衣やＴシャツ等を着た男女が気軽に団扇を常備し携帯鏡を使用することが出来る。
【課題を解決するための手段】
【０００４】団扇が軽量なので、鏡の材質比重の軽いものを使用し、重量を軽量化させ、団扇の扇ぐ力を少なくする。
【考案を実施するための最良の形態】
【０００５】実施例を（図１の保護袋展開図）に示したが、保護のこの方法に限定するものではない。【０００６】図１に示すように、適当な厚みの保護袋に鏡を挿入させ、鏡を保護する。
保護袋（▲８▼）を団扇（▲６▼）に貼り付ける構造である。【０００７】実例では、保護袋を長方形としたが、例えば長円やハート型など自由で制限するものではない。
【考案の効果】
【０００８】夏祭りや盆踊りなどで浴衣やＴシャツを着て、団扇携帯鏡を使用することにより、団扇のみで、暑さを和らげ、身だしなみの確認や化粧直しが手軽簡単に出来るようになった。
【図面の簡単な説明】
【０００９】
【図１】本考案の展開図の一例
【符号の説明】
▲１▼・・・台紙
▲２▼・・・折り返し
▲３▼・・・台紙
▲４▼・・・鏡
▲５▼・・・団扇
▲６▼・・・保護袋
【図１】
0003147269.tif 000003
【手続補正書】
【提出日】平成20年9月20日(2008.9.20)
【手続補正１】
【補正対象書類名】実用新案登録請求の範囲
【補正対象項目名】全文
【補正方法】変更
【補正の内容】
【実用新案登録請求の範囲】
【請求項１】
軽量小型鏡を団扇に貼り付けた構造の団扇携帯鏡。
(57)【要約】      （修正有）【課題】化学的な相分離による方法で微細セルのスポンジを得、それに通気する事により得るプラスチック多孔膜によるマイクロバブルを提供する。【解決手段】ポリスルホンのメチルピロリドン／エチレングリコール溶液を水中で造膜した、多孔膜へ０．５気圧の通気により得たマイクロバブルを陸上海水魚養殖の過剰溶存酸素水生成に採用する。此れにより得られた、過剰溶存酸素水は  水中の溶存障害物質を解毒し、滅菌殺菌制菌を防菌し、水中生物の高密度養殖を可能とする。【選択図】図１
0003147266.tif 000002
【実用新案登録請求の範囲】
【請求項１】
ポリスルホン、セルロースなどの多孔膜に圧搾空気を透過する事により、水中に微細な気泡を作る装置。
【考案の詳細な説明】
【技術分野】
【０００１】  本発明は  水中にマイクロバブルを送り込む事により、過剰な溶存酸素を得て、水質浄化、滅菌殺菌制菌防菌、水中生物養殖などに役立てようとするものである。
【考案の開示】
【考案が解決しようとする課題】
【０００２】  従来  マイクロバブルを得るには、加圧水常圧解放、高速撹拌、キャビティションなど有ったが、何れも機械的に大掛かりな物だった。機械に頼らず、化学的な方法を工夫する。
【課題を解決する為の手段】
【０００３】  化学的不均一相による微細セルの生成により、微細連通気泡体の成形。気泡の発生時会合を防ぐ、親水疎水性の制御。機能の持続性耐久性改善。気泡の離脱から気圧の脈動化。
【考案の効果】
【０００４】  ポリスルホンまたは変性化セルロースによるプラスチック多孔膜へ０．０３〜１．０気圧の通気により作られたマイクロバブルは、水中において、浮力不足により漂い、一般に難溶と云われる酸素までも水中に溶け、気泡の消滅にいたる。
【０００５】  此れにより得られた、過剰溶存酸素水は  水中の溶存障害物質を解毒し、滅菌殺菌制菌防菌し、水中生物の高密度養殖を可能とする。
【０００６】  また水中の濁り成分（所謂ＳＳ成分）は電荷的にマイクロバブルを集め、マイクロバブルが集会合すると、気泡径が大きくなり、浮力を得て、俄に浮上し、水面に浮上した泡は容易に系外へ出す事ができるから、結果水中からＳＳ除去にも役立つ。
【考案を実施する為の最良の形態】
【０００７】  ポリスルホンのメチルピロリドン／エチレングリコール溶液を水中で造膜した、多孔膜へ０．５気圧の通気により得たマイクロバブルを  陸上海水魚養殖の過剰溶存酸素水生成に採用する。
【実施例１】
【０００８】  ポリスルホンのメチルピロリドン／エチレングリコール溶液を水中へ薄膜状に押出し、相分離により白濁したものを乾燥して多孔膜を得る。
【実施例２】
【０００９】  カルボキシメチルセルロース水溶液を真空中で薄膜状に展開し、乾燥して多孔膜を得る。
【図面の簡単な説明】
【００１０】
【図１】  ポリスルホンによる多孔膜の断面である。
【図２】  変性セルロースによる多孔膜の断面である。
【図１】
0003147266.tif 000003
【図２】
0003147266.tif 000004
【手続補正書】
【提出日】平成20年9月24日(2008.9.24)
【手続補正１】
【補正対象書類名】実用新案登録請求の範囲
【補正対象項目名】全文
【補正方法】変更
【補正の内容】
【実用新案登録請求の範囲】
【請求項１】
ポリスルホン又はセルロース多孔膜からなり、それを水中に設え、圧搾空気を透過する事により水中に微細な気泡を造る装置。
(57)【要約】      （修正有）【課題】どこでテープを切っても、粘着テープを外す時の取手（タブ）にし、剥がしやすく何度も使用出来るテープを提供する。【解決手段】両面、又は片面粘着テープの片側、又は両側の脇側（テープに平行）に糊無し部分５ｍｍ〜１ｃｍを設け、貼りやすく、どこからでも剥がしやすくする。両面テープを例に説明する、先ずＧのテープロールから「タブ付き両面テープ」の一片を必要数Ｆから切り離し、書類と「タブ付き両面テープ」のＡ面を貼り、次に他の書類と「タブ付き両面テープ」のＢ面を貼り合わせた後、両方の書類を剥がした時にどちらかに残った「タブ付き両面テープ」の取手を持ち簡単に剥がし、双方の書類どちらにも糊が残らない状態にする。【選択図】図３
0003147270.tif 000002
【実用新案登録請求の範囲】
【請求項１】
薄い基材の両面、又は、片面に、貼って剥がせて書類、もの等にダメージを与えずに、尚且つある程度粘着力のある中弱粘着糊や、強力粘着糊を、テープ状の片側又は、両側の脇（テープに対し平行）に糊無し部分を（任意巾）５ｍｍ〜１ｃｍ設け、テープのどこで切っても剥がす時の取手（タブ）に出来る事を特徴とした両面、及び片面粘着テープ。
又、剥離紙がなくても、送りや、ストッパー用に「写真フィルムの送り穴」のような穴を糊無し部分に設けたり、テープに任意の距離のミシン目や、切込み、で簡単に切れるようにしても良い。
【考案の詳細な説明】
【技術分野】
【０００１】  本考案は、両面、又は片面粘着テープの脇側（テープに平行）に、糊を付けない所を設け、どこでテープを切っても、粘着テープを外す時の取手（タブ）にし、剥がしやすく何度も使用出来るテープに関するものである。
【背景技術】
【０００２】  両面粘着テープを利用した場合、これを剥がした後には、貼り合わせた書類等の必ずどちら側かに粘着テープが残った、又、片面テープでは、全て密着しどこからでも剥がせる様にはなっていなかった。
【考案の開示】
【考案が解決しようとする課題】
【０００３】  今までは、ノート等に両面粘着テープで止めた書類等を剥がした時に、両面粘着テープがノートか、書類に残り、その後書類同士がくっ付き書類の整理が出来なかったり、ノートが使いにくかった、又、片面粘着テープで貼り付けた場合でも、どこからでも簡単にテープを剥がす事が出来なかった、そして、粘着テープが付いている状態では自動送りコピーや、再度印字する事や、シュレッダーが使えなかったが、本考案は、簡単に粘着テープを剥がす事で問題を解決しようとするものである。
【課題を解決する為の手段】
【０００４】  従来の両面テープでは、書類等同士を貼り合わせた後剥がすと、２枚の書類等の片方に粘着テープが残り、その後これらの書類等がくっ付き合い使いにくくなっていた、又、片面テープでも、どこからでも簡単に剥がせるものではなかった為、テープの片側又は、両側の脇（テープに対し平行）に糊無し部分を（任意巾）５ｍｍ〜１ｃｍ設け、テープのどこで切っても剥がす時の取手（タブ）にする事で問題を解決した。
【考案の効果】
【０００５】  粘着テープ残しのない書類等は、資料整理もしやすく、再コピーや、再印字も出来、又、破棄するにも異物の混入が無く省資源化に最適であり、両面、片面粘着テープも複数回の再利用が出来る利点を持つ。
【考案の実施するための最良の形態】
【０００６】  両面、又は片面粘着テープの片側、又は両側の脇側（テープに平行）に糊無し部分５ｍｍ〜１ｃｍを設け、貼りやすく、どこからでも剥がしやすくする事。
【実施例】
【０００７】  ここでは、両面テープを例に説明する、先ずＧのテープロールから「タブ付き両面テープ」の一片を必要数Ｆから切り離し、書類Ａ‘と「タブ付き両面テープ」のＡ面を貼り、次に書類Ｂ’と「タブ付き両面テープ」のＢ面を貼り合わせた後、書類Ａ’，Ｂ’を剥がした時にどちらかに残った「タブ付き両面テープ」のＣの取手を持ち簡単に剥がし、Ａ’，Ｂ’の書類どちらにも糊が残らない状態にする。
【図面の簡単な説明】
【０００８】
【図１】本考案の「タブ付き両面テープ」の一片の正面図で、送り穴のあるもの。
【図２】本考案の「タブ付き両面テープ」の一片の正面図で、送り穴の無いもの。
【図３】本考案の「タブ付き両面テープ」がロール状になった上面図である。
【符号の説明】
【０００９】Ａ・Ａの書類に貼る側
Ｂ・Ｂの書類に貼る側
Ｃ・テープを剥がす時の持ち手
Ｄ・貼って剥がせる適度な粘着性糊
Ｅ・送り穴
Ｆ・ミシン目、（切り込み）
Ｇ・テープロール
【図１】
0003147270.tif 000003
【図２】
0003147270.tif 000004
【図３】
0003147270.tif 000005
【手続補正書】
【提出日】平成20年9月24日(2008.9.24)
【手続補正１】
【補正対象書類名】実用新案登録請求の範囲
【補正対象項目名】全文
【補正方法】変更
【補正の内容】
【実用新案登録請求の範囲】
【請求項１】
薄い基材の両面又は片面に、貼って剥がせて書類や、もの等にダメージを与えずに、尚且つある程度の粘着力のある中弱粘着糊や、強力粘着糊を、テープ状の片側又は両側の脇に糊無し部分を任意巾設け、テープのどこで切っても剥がす時の取手に出来る事を特徴とした両面又は片面粘着テープで、尚且つ剥離紙がなくても、送りや、ストッパー用に円形の穴を糊無し部分に設けたり、テープに任意の距離のミシン目や、切込み、で簡単に切れるようにする事も可能な両面又は片面の粘着テープ。
(57)【要約】【課題】防蚊光波長のLEDランプの提供。【解決手段】本考案の防蚊光波長のLEDランプは、ランプ内に少なくとも一つの１〜１０ワットの発光ダイオードを有し、エピタキシー技術により、１〜１０ワットの発光ダイオードが発する波長を４１０ｎｍ〜４１２ｎｍの間の射光に制限し、この発光ダイオードランプは金属散熱片を発光ダイオードと別側の回路板底に畳接し、且つ、発光ダイオードの発光前端は、中央に非球面加工の凸レンズを有し、レンズ辺は徐々に縮小して、実心勺形状の二次光拡散マスクを形成し、二次光拡散マスクのカバー被覆殻を被覆し、発光ダイオードが発する光波が二次光拡散マスクを穿過し、固定光幅角度、及び、固定光距離で射出し、蚊は４１０ｎｍ〜４１２ｎｍの間の波長光を非常に嫌うので、発光ダイオードの照射領域を避け、且つ、発光ダイオードは、低電流の直流電圧発光なので、感電することがなく、安全に使用できる。【選択図】    図１
0003147202.tif 000002
【実用新案登録請求の範囲】
【請求項１】
防蚊光波長のLEDランプであって、ランプ内に少なくとも一つの１〜１０ワットの発光ダイオードを有し、エピタキシー技術により、１〜１０ワットの発光ダイオードが発する波長を４１０ｎｍ〜４１２ｎｍの間の射光に制限し、この発光ダイオードランプは金属散熱片を前記発光ダイオードと別側の回路板底に畳接し、且つ、前記発光ダイオードの発光前端は、中央に非球面加工の凸レンズを有し、レンズ辺は徐々に縮小して、実心勺形状の二次光拡散マスクを形成し、前記二次光拡散マスクのカバー被覆殻を被覆し、前記発光ダイオードが発する光波が前記二次光拡散マスクを穿過し、固定光幅角度、及び、固定光距離で蚊が嫌う波長光を射出し、防蚊効果を達成することを特徴とする防蚊光波長のLEDランプ。
【請求項２】
前記二次光拡散マスクの散光角度は１５度であることを特徴とする請求項１に記載の防蚊光波長のLEDランプ。
【請求項３】
前記二次光拡散マスクの散光角度は４５度であることを特徴とする請求項１に記載の防蚊光波長のLEDランプ。
【考案の詳細な説明】
【技術分野】
【０００１】
本考案は、防蚊光波長のLEDランプに関するものであって、特に、ランプ内の発光ダイオード（LED）が発する波長が４１０ｎｍ〜４１２ｎｍの間に制限され、蚊が嫌がる波長光で、効果的に防蚊する技術に関するものである。
【背景技術】
【０００２】
蚊は人の血を吸い、特に、睡眠中に、耳元で聞こえる蚊の音は非常に不快である。また、蚊はデング熱や日本脳炎などの伝染疾病を引き起こす。
【０００３】
現在、様々な蚊の駆除方法や器具があり、早期は煙で蚊を追い払う蚊取り線香、現在は、液状の蚊取り器、殺虫剤などがあるが、これらは、どんなに少量でも、人体に累積される。公知の防蚊器具は、蚊をおびき寄せる紫外線や特定の光線を発する防蚊ランプがあり、蚊を引き寄せて大電流でショック死させるが、強力な電流は危険性があり、誤って、人が感電する恐れがあるのと、この種のランプの体積が大きく、消耗電力も高く、動線位置に配置する必要があるので、幼児などには危険である。また、紫外線も人体に有害である。
【考案の開示】
【考案が解決しようとする課題】
【０００４】
本考案の目的は、防蚊光波長のLEDランプを提供し、上述の問題を解決することにある。
【課題を解決するための手段】
【０００５】
本考案の防蚊光波長のLEDランプは、ランプ内に少なくとも一つの１〜１０ワットの発光ダイオードを有し、エピタキシー技術により、１〜１０ワットの発光ダイオードが発する波長を４１０ｎｍ〜４１２ｎｍの間の射光に制限し、この発光ダイオードランプは金属散熱片を発光ダイオードと別側の回路板底に畳接し、且つ、発光ダイオードの発光前端は、中央に非球面加工の凸レンズを有し、レンズ辺は徐々に縮小して、実心勺形状の二次光拡散マスクを形成し、二次光拡散マスクのカバー被覆殻を被覆し、発光ダイオードが発する光波が二次光拡散マスクを穿過し、固定光幅角度、及び、固定光距離で射出し、蚊は４１０ｎｍ〜４１２ｎｍの間の波長光を非常に嫌うので、発光ダイオードの照射領域を避け、且つ、発光ダイオードは、低電流の直流電圧発光なので、感電することがなく、安全に使用できる。
【０００６】
本考案の防蚊光波長のLEDランプは、発光ダイオードの節電、小体積、低コストの長所を有し、また、夜間ランプとしても使用できる。
【考案の効果】
【０００７】
本考案の防蚊光波長のLEDランプは、人が感電する危険がなく、安全に使用できるほか、節電、小体積、低コストの長所を有し、夜間ランプとしても使用できる。
【考案を実施するための最良の形態】
【０００８】
図１は、本考案の防蚊光波長のLEDランプの発光、及び、回路主体立体図で、図２は立体分解図である。防蚊光波長のLEDランプ１０は、ランプ内に少なくとも一つの１〜１０ワットの発光ダイオード１１、１２を有し、エピタキシー技術により、１〜１０ワットの発光ダイオード１１、１２が発する波長を４１０ｎｍ〜４１２ｎｍの間の射光に制限し、この発光ダイオードランプは金属散熱片３０を発光ダイオード１１、１２と別側の回路板２０底に畳接する。
【０００９】
且つ、発光ダイオード１１、１２の発光前端は、図３の断面図で示されるように、中央に非球面加工の凸レンズ４１を有し、レンズ辺は徐々に縮小して、実心勺形状の二次光拡散マスク４０を形成し、二次光拡散マスク４０のカバー被覆殻４２を被覆し、発光ダイオード１１、１２が発する光波が二次光拡散マスク４０を穿過し、固定光幅角度、及び、固定光距離で射出し、図３で示されるように、マスク４０は、１５度の光幅角度で光線距離を増加するマスク体であるか、或いは、図４で示されるように、４５度の光幅角度で光線範囲を増加するマスク体である。
【００１０】
図５は実施図で、一般、或いは、特別な設計の透光ランプカバー５０を装入し、蚊を駆除したい位置に配置し、装飾、或いは、夜間ランプとして使用し、防蚊効果がある。
【図面の簡単な説明】
【００１１】
【図１】本考案の防蚊光波長のLEDランプの発光、及び、回路主体立体図である。
【図２】本考案の防蚊光波長のLEDランプの立体分解図である。
【図３】本考案の防蚊光波長のLEDランプの断面図１である。
【図４】本考案の防蚊光波長のLEDランプの断面図２である。
【図５】本考案の防蚊光波長のLEDランプの応用実施図である。
【符号の説明】
【００１２】
防蚊光波長のLEDランプ１０
発光ダイオード１１、１２
回路板２０
金属散熱片３０
二次光拡散マスク４０
凸レンズ４１
カバー被覆殻４２
【図１】
0003147202.tif 000003
【図２】
0003147202.tif 000004
【図３】
0003147202.tif 000005
【図４】
0003147202.tif 000006
【図５】
0003147202.tif 000007
(57)【要約】      （修正有）【課題】商用電源の無い場所でもフルカラー自動照明で表示でき、また省エネ効果もある背景画面表示看板を提供する。【解決手段】太陽電池を利用した赤、青、黄色の３原色ＬＥＤ照明灯の光を同方向にある白半透明板裏面に投光し個々の色光の強弱の変化による夜のフルカラー間接照明表示を特徴とした背景画面表示看板である。【選択図】図１
0003147250.tif 000002
【実用新案登録請求の範囲】
【請求項１】
太陽電池発電を使用したＬＥＤ３原色投射式看板
【考案の詳細な説明】
【技術分野】
【０００１】  本考案は太陽電池を電源とした３原色ＬＥＤ看板に関する。
【背景技術】
【０００２】  従来の３原色ＬＥＤ看板はＬＥＤ単体の発光量の強弱を直接見るフルカラー方式で高価な看板である。
【考案の開示】
【考案が解決しようとする課題】
【０００３】  従来の３原色フルカラーＬＥＤ看板は面表示の中間混合色時にはＬＥＤ単体に発光量の強弱で表示するために直接見ると遠距離からは頭でミックスされ色々の色に見えるが近寄ると点々に見える問題と商用電気の無い無人場所での使用など解決する課題がある。
【課題を解決するための手段】
【０００４】  商用電気の無い場所で使用するために太陽電池を発電として使用する。【０００５】  近距離での面表示の点々に見える問題は３原色の光を色々の色割合で混合して鏡で反射し半透明乳白板に投射して自動的に面表示をフルカラーで再現照明する。
【考案の効果】
【０００６】  本考案は特に夜間面照明看板として商用電源の無い場所にもフルカラー自動照明看板としまた省エネ効果がある。
【考案を実施するための最良の形態】
【実施例】
【０００７】  本考案の図面に従って説明する、（図１）はＬＥＤレインボーフルカラー自動照明看板装置外観図で１本体看板２半透明乳白樹脂板２−ａレインボーフルカラー照明表示面３太陽電池発電板３−ａポール３−ｂ固定台３−ｃ電線【０００８】  （図２）は本体看板半透視内部説明図で１本体看板２−ｂ反射鏡２−ａ３原色カラー投射光４ＬＥＤ照明灯供給電流制御装置４−ａ赤色ＬＥＤ照明灯４−ｂ青色ＬＥＤ照明灯４−ｃ黄色ＬＥＤ照明灯３太陽電池発電板３−ａポール３−ｂ固定台３−ｃ電線。【０００９】  （図３）自動フルカラー３原色ＬＥＤ照明灯供給電流動作カーブ図の説明をしますと初めに４−ａ赤色ＬＥＤにｔ１の時間に向かって電流を増やして行きますと赤色ＬＥＤの輝度が強くなりｔ１で１００％になる、その時４−ｂ青色ＬＥＤにはｔ２の時間に向かって電流を増やし始めると同時に赤色ＬＥＤにはｔ２に向かって電流を減らし赤色と青色の輝度の比率を山形波形の電流カーブのように自動制御し赤色から青色に変わる色をカラーで表現する、４−ｂ青色ＬＥＤが１００％に達すると４−ｃ黄色ＬＥＤに電流を流し増やし初め青色ＬＥＤの電流を減らし初めｔ３に向かう黄色ＬＥＤが１００％になると赤と黄、青と黄、赤と青、と繰り返し動作し２−ｂ鏡に反射して２−ａの方向にある２半透明乳白樹脂板に投射し照明する事で自動的にレインボーカラーの照明看板が可能となる、昼間太陽電池発電の電気は一旦バッテリーに蓄電し４ＬＥＤ灯供給電流制御装置をかえして稼動を続け環境にやさしい省エネ看板の効果がある。
【図面の簡単な説明】
【００１０】
【図１】  ＬＥＤレインボーフルカラー自動照明看板装置外観図
【図２】  本体看板半透視内部説明図
【図３】  自動フルカラー３原色ＬＥＤ照明灯供給電流動作カーブ図
【符号の説明】
【００１１】１  本体看板
２  半透明乳白樹脂板
２−ａ  レインボー投射光
２−ｂ  鏡
３  太陽電池板
３−ａ  ポール
３−ｂ  固定台
３−ｃ  電線
４  ＬＥＤ照明灯供給電流制御装置
４−ａ  赤色ＬＥＤ灯
４−ｂ  青色ＬＥＤ灯
４−ｃ  黄色ＬＥＤ灯
【図１】
0003147250.tif 000003
【図２】
0003147250.tif 000004
【図３】
0003147250.tif 000005
【手続補正書】
【提出日】平成20年9月24日(2008.9.24)
【手続補正１】
【補正対象書類名】実用新案登録請求の範囲
【補正対象項目名】全文
【補正方法】変更
【補正の内容】
【実用新案登録請求の範囲】
【請求項１】
太陽電池を利用した赤、青、黄色の３原色ＬＥＤ照明灯の光を同方向にある白半透明板裏面に投光し個々の色光の強弱の変化による夜のフルカラー間接照明表示を特徴とした背景画面表示看板。